(57)【特許請求の範囲】
【請求項１】
制御部と記憶部と表示部を少なくとも備えたＢＩＭシステムであって、前記記憶部は、昇降機のＢＩＭパーツを作成するためのパーツ情報を記憶するパーツ情報記憶手段、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記表示部に表示させる画面表示手段と、を備え、前記昇降機モデリング手段は、前記昇降機のリビジョンアップに際し、当該リビジョンアップ前の前記ＢＩＭパーツと、当該リビジョンアップ後の前記ＢＩＭパーツとを作成し、前記画面生成手段は、前記昇降機モデリング手段により作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面を生成し、前記制御部は、前記画面表示手段により前記表示部に表示された前記レイアウト画面上で、前記利用者により前記変更領域に対する修正操作が検出された場合、建築物のＢＩＭモデル内の前記昇降機の設置予定領域に設置可能なように、前記変更領域に対応する前記ＢＩＭパーツを修正する修正手段、を更に備えることを特徴とするＢＩＭシステム。
【請求項２】
前記画面生成手段により生成された前記レイアウト画面に含まれる前記変更領域の表示態様を当該変更領域以外の前記ＢＩＭパーツの表示態様と異ならせる表示態様変更手段、を更に備えたことを特徴とする請求項１に記載のＢＩＭシステム。
【請求項３】
前記画面生成手段は、前記昇降機のリビジョンアップ前後における変更点に関する詳細情報を、前記変更領域に対応付けて表示する前記レイアウト画面を生成することを特徴とする請求項１または２に記載のＢＩＭシステム。
【請求項４】
前記記憶部は、建築物のＢＩＭモデルを記憶するＢＩＭモデル記憶手段、を更に備え、前記制御部は、前記昇降機モデリング手段により作成された前記ＢＩＭパーツを、前記ＢＩＭモデル記憶手段に記憶された前記ＢＩＭモデル内の設置予定領域に設置した統合ＢＩＭモデルを作成する統合モデリング手段、を更に備え、前記画面生成手段は、前記統合モデリング手段により作成された前記統合ＢＩＭモデルを含む前記レイアウト画面を生成することを特徴とする請求項１から３のいずれか一項に記載のＢＩＭシステム。
【請求項５】
前記統合モデリング手段は、前記昇降機のリビジョンアップに際し、前記昇降機モデリング手段により作成された前記リビジョンアップ前の前記ＢＩＭパーツを、前記ＢＩＭモデル記憶手段に記憶された前記ＢＩＭモデル内の設置予定領域に設置した当該リビジョンアップ前の前記統合ＢＩＭモデルと、前記昇降機モデリング手段により作成された前記リビジョンアップ後の前記ＢＩＭパーツを、前記ＢＩＭモデル記憶手段に記憶された前記ＢＩＭモデル内の設置予定領域に設置した当該リビジョンアップ後の前記統合ＢＩＭモデルとを作成し、前記画面生成手段は、前記リビジョンアップ前の前記統合ＢＩＭモデルと前記リビジョンアップ後の前記統合ＢＩＭモデルと、を重ねて表示した前記レイアウト画面であって、前記リビジョンアップ前の前記統合ＢＩＭモデルと前記リビジョンアップ後の前記統合ＢＩＭモデルとが重なり合わない前記変更領域を含む前記レイアウト画面を生成することを特徴とする請求項４に記載のＢＩＭシステム。
【請求項６】
制御部と記憶部とを少なくとも備えたサーバ装置、および、制御部と表示部とを少なくとも備えた端末装置、を通信可能に接続したＢＩＭシステムであって、前記サーバ装置の前記記憶部は、昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記制御部は、前記情報提供手段により前記サーバ装置から送信された前記ＢＩＭパーツを少なくとも含むレイアウト画面を生成する画面生成手段と、前記画面生成手段により生成された前記レイアウト画面を前記表示部に表示させる画面表示手段と、を備え、前記昇降機モデリング手段は、前記昇降機のリビジョンアップに際し、当該リビジョンアップ前の前記ＢＩＭパーツと、当該リビジョンアップ後の前記ＢＩＭパーツとを作成し、前記画面生成手段は、前記情報提供手段により送信された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面を生成し、前記端末装置の前記制御部は、前記画面表示手段により前記表示部に表示された前記レイアウト画面上で、前記利用者により前記変更領域に対する修正操作が検出された場合、建築物のＢＩＭモデル内の前記昇降機の設置予定領域に設置可能なように、前記変更領域に対応する前記ＢＩＭパーツを修正する修正手段、を更に備えることを特徴とするＢＩＭシステム。
【発明の詳細な説明】
【技術分野】
【０００１】
本発明の実施形態は、ＢＩＭシステムに関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、昇降機を視覚的に分かりやすく表示する技術が求められている。
【先行技術文献】
【特許文献】
【０００３】
【特許文献１】特開平０７−２２５８５０号公報
【発明の概要】
【発明が解決しようとする課題】
【０００４】
本発明が解決しようとする課題は、昇降機の設備計画を提案する際、昇降機を視覚的に分かりやすく表示することができるＢＩＭシステムを提供することである。
【課題を解決するための手段】
【０００５】
実施形態のＢＩＭシステムは、制御部と記憶部と表示部を少なくとも備える。前記記憶部は、昇降機のＢＩＭパーツを作成するためのパーツ情報を記憶するパーツ情報記憶手段、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記表示部に表示させる画面表示手段と、を備える。前記昇降機モデリング手段は、前記昇降機のリビジョンアップに際し、当該リビジョンアップ前の前記ＢＩＭパーツと、当該リビジョンアップ後の前記ＢＩＭパーツとを作成する。前記画面生成手段は、前記昇降機モデリング手段により作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面を生成し、前記制御部は、前記画面表示手段により前記表示部に表示された前記レイアウト画面上で、前記利用者により前記変更領域に対する修正操作が検出された場合、建築物のＢＩＭモデル内の前記昇降機の設置予定領域に設置可能なように、前記変更領域に対応する前記ＢＩＭパーツを修正する修正手段、を更に備える。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、リビジョンアップ前後のＢＩＭパーツを重ねて表示したレイアウト画面の一例を示す図である。
【図５】図５は、統合ＢＩＭモデルを含むレイアウト画面の一例を示す図である。
【図６】図６は、第１の実施形態におけるＢＩＭシステムの基本処理の一例を示すフローチャートである。
【図７】図７は、レイアウト画面生成処理の一例を示すフローチャートである。
【図８】図８は、第２の実施形態におけるＢＩＭシステムの構成の一例を示すブロック図である。
【図９】図９は、第２の実施形態におけるＢＩＭシステムの基本処理の一例を示すフローチャートである。
【図１０】図１０は、第３の実施形態におけるＢＩＭシステムの構成の一例を示すブロック図である。
【図１１】図１１は、第３の実施形態におけるＢＩＭシステムの基本処理の一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図７を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを作成し、端末装置１００へ送信する等の機能を有する。このとき、サーバ装置２００は、昇降機のリビジョンアップに際しては、当該リビジョンアップ前のＢＩＭパーツと、当該リビジョンアップ後のＢＩＭパーツとを作成する。
【００１５】
本実施形態において、リビジョンアップとは、大きな機能変更を伴った改変がバージョンアップと呼ばれるのに対して、例えば、細かな部分だけの改訂で製品名などの変更も伴わない修正等を含む。つまり、リビジョンアップは、一見すると変更点が分かりづらいような変更を含む。そこで、本実施形態のＢＩＭシステムは、リビジョンアップに際して、一見すると分かりづらい変更点をビジュアル化して分かりやすくしている。以下にその詳細を説明する。
【００１６】
サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１７】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース（設置予定領域）、寸法、各種付属設備、可動領域、昇降機を構成する必要部材の部材強度、価格、寸法、質量、色、素材、固有振動数といった構造情報の他、納期、在庫状況、据付時間、仕上げ材、耐用年数、メーカ情報、品番型番などが挙げられるが、上記に限定されない。本実施形態において、昇降機の可動領域は、昇降機が昇降路内で可動する領域を意味する。例えば、昇降機がエレベータの場合、昇降機の可動領域は、メインロープで接続された乗りかごとカウンタウェイトとが上下方向に可動する最大領域を示す幅、奥行、高さにより規定された領域である。
【００１８】
より具体的には、本実施形態において、パーツ情報は、例えば、後述の制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１９】
図２において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００２０】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、既設の昇降機の一部を新設品に改修するリビジョンアップに関する条件等を含んでいてもよい。また、作成条件は、利用者により端末装置１００において入力部１１８を介して入力されたものであってもよいし、予め作成条件が記憶された外部記憶装置（図示せず）から読み込まれたものであってもよい。
【００２１】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。ここで、昇降機モデリング部２０２ｂは、作成条件に合致する範囲内でＢＩＭパーツを複数作成してもよい。また、昇降機モデリング部２０２ｂは、作成した昇降機のＢＩＭパーツを記憶部２０６に格納して、ＢＩＭパーツデータベース（図示せず）を構築してもよい。
【００２２】
本実施形態において、昇降機モデリング部２０２ｂは、昇降機のリビジョンアップに際しては、作成条件受信部２０２ａにより受信された作成条件に基づいたリビジョンアップに関する条件等に対応する昇降機のＢＩＭパーツを、パーツ情報データベース２０６ａに記憶されたパーツ情報を用いて作成する。つまり、昇降機モデリング部２０２ｂは、リビジョンアップ前のＢＩＭパーツと、リビジョンアップ後のＢＩＭパーツとを作成する。具体的には、昇降機モデリング部２０２ｂは、リビジョンアップ前に作成条件受信部２０２ａにより受信されたリビジョンアップ前の昇降機の作成条件に対応するＢＩＭパーツを作成する。また、昇降機モデリング部２０２ｂは、リビジョンアップ後に作成条件受信部２０２ａにより受信されたリビジョンアップ後の昇降機の作成条件に対応するＢＩＭパーツを作成する。
【００２３】
また、情報提供部２０２ｃは、昇降機モデリング部２０２ｂにより作成された昇降機のＢＩＭパーツ等を含むサーバ装置２００の計算結果を端末装置１００へ送信する情報提供手段である。ここで、情報提供部２０２ｃは、複数のＢＩＭパーツを含む計算結果を端末装置１００へ送信してもよい。
【００２４】
［端末装置１００の構成］
図２において、端末装置１００は、サーバ装置２００へＢＩＭパーツを作成するのに必要な作成条件を送信し、作成条件にしたがって作成されたＢＩＭパーツを含むサーバ装置２００の計算結果を、サーバ装置２００から受信する等の機能を有する。また、端末装置１００は、サーバ装置２００から受信したＢＩＭパーツを少なくとも含むレイアウト画面を生成し、当該レイアウト画面を表示部１１４に表示させる等の機能を有する。このとき端末装置１００は、リビジョンアップ前のＢＩＭパーツと、リビジョンアップ後のＢＩＭパーツと、を重ねて表示したレイアウト画面を生成する。このレイアウト画面は、リビジョンアップ前のＢＩＭパーツとリビジョンアップ後のＢＩＭパーツとが重なり合わない変更領域を含む。
【００２５】
端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２６】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２７】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２８】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａおよびＢＩＭパーツファイル１０６ｂ等）を格納してもよい。記憶部１０６は、各種のファイル等を一時的に記憶するものであってもよい。
【００２９】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁等が挙げられる。
【００３０】
また、ＢＩＭパーツファイル１０６ｂは、サーバ装置２００から送信された昇降機のＢＩＭパーツを記憶するＢＩＭパーツ記憶手段である。本実施形態において、ＢＩＭパーツファイル１０６ｂは、例えば、サーバ装置２００から送信されたリビジョンアップ前のＢＩＭパーツと、リビジョンアップ後のＢＩＭパーツとを記憶する。具体的には、ＢＩＭパーツファイル１０６ｂは、後述の制御部１０２によりリビジョンアップ前にサーバ装置２００から受信されたリビジョンアップ前の昇降機の作成条件に対応するＢＩＭパーツを記憶する。また、ＢＩＭパーツファイル１０６ｂは、後述の制御部１０２によりリビジョンアップ後にサーバ装置２００から受信されたリビジョンアップ後の昇降機の作成条件に対応するＢＩＭパーツを記憶する。本実施形態において、ＢＩＭパーツファイル１０６ｂに記憶されたリビジョンアップ前のＢＩＭパーツと、リビジョンアップ後のＢＩＭパーツとは、後述する制御部１０２によりレイアウト画面を生成する際に使用される。
【００３１】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、統合モデリング部１０２ｃ、画面生成部１０２ｄ、画面表示部１０２ｅ、表示態様変更部１０２ｆ、および、修正部１０２ｇを備える。
【００３２】
このうち、作成条件送信部１０２ａは、利用者により入力される作成条件をサーバ装置２００へ送信する作成条件送信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００３３】
また、情報取得部１０２ｂは、サーバ装置２００から送信される作成条件に対応するＢＩＭパーツを含む計算結果を受信する情報取得手段である。ここで、情報取得部１０２ｂは、複数のＢＩＭパーツを含む計算結果をサーバ装置２００から受信してもよい。本実施形態において、情報取得部１０２ｂは、リビジョンアップ前にサーバ装置２００から受信されたリビジョンアップ前の昇降機の作成条件に対応するＢＩＭパーツを、ＢＩＭパーツファイル１０６ｂに格納する。また、情報取得部１０２ｂは、リビジョンアップ後にサーバ装置２００から受信されたリビジョンアップ後の昇降機の作成条件に対応するＢＩＭパーツを、ＢＩＭパーツファイル１０６ｂに格納する。
【００３４】
また、統合モデリング部１０２ｃは、情報取得部１０２ｂにより受信されたＢＩＭパーツを、ＢＩＭモデルデータベース１０６ａに記憶されたＢＩＭモデル内の設置予定領域に設置した統合ＢＩＭモデルを作成する統合モデリング手段である。本実施形態において、統合モデリング部１０２ｃは、昇降機のリビジョンアップに際し、情報取得部１０２ｂにより受信されたリビジョンアップ前のＢＩＭパーツを、ＢＩＭモデルデータベース１０６ａに記憶されたＢＩＭモデル内の設置予定領域に設置した当該リビジョンアップ前の統合ＢＩＭモデルを作成してもよい。また、統合モデリング部１０２ｃは、情報取得部１０２ｂにより受信されたリビジョンアップ後のＢＩＭパーツを、ＢＩＭモデルデータベース１０６ａに記憶されたＢＩＭモデル内の設置予定領域に設置した当該リビジョンアップ後の統合ＢＩＭモデルを作成してもよい。ここで、統合モデリング部１０２ｃは、作成した統合ＢＩＭモデルを記憶部１０６に格納して、統合ＢＩＭモデルデータベース（図示せず）を構築してもよい。この場合、統合モデリング部１０２ｃは、リビジョンアップ前の統合ＢＩＭモデルと、リビジョンアップ後の統合ＢＩＭモデルとを、統合ＢＩＭモデルデータベース（図示せず）に格納してもよい。
【００３５】
また、画面生成部１０２ｄは、情報取得部１０２ｂにより受信されたＢＩＭパーツを少なくとも含むレイアウト画面を生成する画面生成手段である。本実施形態において、画面生成部１０２ｄは、情報提供部１０２ｂにより送信されたＢＩＭパーツが格納されるＢＩＭパーツファイル１０６ｂを参照し、リビジョンアップ前のＢＩＭパーツと、リビジョンアップ後のＢＩＭパーツとが記憶されているか否かを確認する。そして、画面生成部１０２ｄは、ＢＩＭパーツファイル１０６ｂにリビジョンアップ前のＢＩＭパーツとリビジョンアップ後のＢＩＭパーツがある場合、図４に示すように、当該リビジョンアップ前のＢＩＭパーツと、当該リビジョンアップ後のＢＩＭパーツと、を重ねて表示したレイアウト画面を作成する。このレイアウト画面は、リビジョンアップ前のＢＩＭパーツとリビジョンアップ後のＢＩＭパーツとが重なり合わない変更領域を含む画面である。ここで、図４は、リビジョンアップ前後のＢＩＭパーツを重ねて表示したレイアウト画面の一例を示す図である。図４の左側は、昇降路、乗りかご、メインロープ、カウンタウェイト等のユニットから構成される、リビジョンアップ前のエレベータのＢＩＭパーツである。図４の中央は、昇降路、寸法が変更された乗りかご、メインロープ、寸法が変更されたカウンタウェイト等のユニットから構成される、リビジョンアップ後のエレベータのＢＩＭパーツである。図４の右側は、変更領域と変更点に関する詳細情報を含む、リビジョンアップ前後のＢＩＭパーツを重ねて表示したレイアウト画面である。
【００３６】
具体的には、画面生成部１０２ｄは、リビジョンアップ前のＢＩＭパーツに含まれるパーツ情報と、リビジョンアップ後のＢＩＭパーツに含まれるパーツ情報とを比較することで、リビジョンアップ前後における変更点を抽出する。例えば、リビジョンアップ前後における変更点としては、図４に示すように、ＢＩＭパーツがエレベータの場合、乗りかごの寸法やカウンタウェイトの寸法の違い等が挙げられる。そして、画面生成部１０２ｄは、リビジョンアップ前のＢＩＭパーツとリビジョンアップ後のＢＩＭパーツとの比較の際に抽出した変更点が生じた箇所を、変更領域として設定する。例えば、リビジョンアップ前後における変更点として、エレベータの乗りかごの寸法と、カウンタウェイトの寸法の違いが抽出された場合、画面生成部１０２ｄは、リビジョンアップ前のＢＩＭパーツと、リビジョンアップ後のＢＩＭパーツと、を重ねて表示したレイアウト画面上で、エレベータの乗りかごの寸法とカウンタウェイトの寸法が異なる領域を、変更領域として含むようにレイアウト画面（図４の右側参照）を生成する。
【００３７】
更に、画面生成部１０２ｄは、リビジョンアップ前のＢＩＭパーツとリビジョンアップ後のＢＩＭパーツとの比較の際、リビジョンアップ内容を示す変更内容の詳細、リビジョンアップに際して利用者に通知すべき注意事項の詳細、リビジョンアップ後に発生し得る問題点の詳細等を、リビジョンアップ前後における変更点の詳細情報として抽出してもよい。この場合、画面生成部１０２ｄは、昇降機のリビジョンアップ前後における変更点に関する詳細情報を、変更領域に対応付けて表示するレイアウト画面（図４の右側参照）を生成する。
【００３８】
この他、画面生成部１０２ｄは、統合モデリング部１０２ｃにより作成された統合ＢＩＭモデルを含むレイアウト画面を生成してもよい。本実施形態において、画面生成部１０２ｄは、リビジョンアップに際し、図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。ここで、図５は、統合ＢＩＭモデルを含むレイアウト画面の一例を示す図である。図５では、建築物の完成時におけるエレベータの設置状態を示す統合ＢＩＭモデルの一部が示されている。図５において、統合ＢＩＭモデル中のＢＩＭパーツ部分は、リビジョンアップ前のＢＩＭパーツとリビジョンアップ後のＢＩＭパーツとを重ね合わせたＢＩＭパーツとなっている。そのため、図５のレイアウト画面では、エレベータのＢＩＭパーツの乗りかご部分に注目すると、リビジョンアップ前後で乗りかごの寸法を変更したことを示す変更領域が表示されている。
【００３９】
また、画面表示部１０２ｅは、画面生成部１０２ｄにより生成されたレイアウト画面を表示部１１４に表示させる画面表示手段である。本実施形態において、画面表示部１０２ｅは、例えば、リビジョンアップに際し、上述の図４のレイアウト画面または図５のレイアウト画面を表示部１１４に表示させる。
【００４０】
また、表示態様変更部１０２ｆは、画面表示部１０２ｅにより表示されるレイアウト画面に含まれる変更領域の表示態様を、当該変更領域以外の昇降機のＢＩＭパーツの表示態様と異ならせる表示態様変更手段である。具体的には、表示態様変更部１０２ｆは、入力部１１８を介して入力された利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせる。
【００４１】
例えば、表示態様変更部１０２ｆは、作成条件に含まれる利用者が指定した表示態様の設定条件にしたがって、変更領域の表示態様を当該変更領域以外の昇降機のＢＩＭパーツの表示態様と異ならせるように、変更領域の表示態様を制御する表示パラメータを設定する。そして、表示態様変更部１０２ｆは、当該表示パラメータを画面生成部１０２ｄへ出力して、画面生成部１０２ｄに当該表示パラメータを含むレイアウト画面を作成させる。そして、画面表示部１０２ｅがこの表示パラメータを含むレイアウト画面を表示部１１４に表示することで、レイアウト画面上で変更領域の表示態様と、当該変更領域以外の昇降機のＢＩＭパーツの表示態様とを異ならせた状態で、変更領域を表示する。また、表示態様変更部１０２ｆは、レイアウト画面上で利用者が表示態様を変更させる操作を行った場合に、上記表示態様変更処理を実行してもよい。
【００４２】
また、修正部１０２ｇは、画面表示部１０２ｅにより表示部１１４に表示されたレイアウト画面上で、利用者による変更領域に対する修正操作が検出された場合、建築物のＢＩＭモデル内の昇降機の設置予定領域に設置可能なように、変更領域に対応するＢＩＭパーツを修正する修正手段である。本実施形態において、変更領域に対する修正操作は、例えば、リビジョンアップ後にレイアウト画面上で変更領域に対応付けて表示された詳細情報に含まれる問題点が、リビジョンアップ後のＢＩＭパーツが設置予定領域に設置可能な状態にないことを示す場合等に、利用者により行われる操作である。修正操作は、例えば、対象の変更領域に対してクリック、タップ等で選択する操作、および、選択した変更領域に対応するＢＩＭパーツのユニットに関する設定パラメータ（例えば、乗りかごやカウンタウェイトの寸法を示すパラメータ）を設置予定領域に設置可能なように調整する操作を含む。この他、修正部１０２ｇは、レイアウト画面上で修正操作が検出された場合、昇降機の昇降路内の可動領域に納まるように、変更領域に対応するＢＩＭパーツを修正してもよい。
【００４３】
以上で、第１の実施形態におけるＢＩＭシステムの構成の一例の説明を終える。
【００４４】
［第１の実施形態におけるＢＩＭシステムの処理］
このように構成された第１の実施形態におけるＢＩＭシステムの処理の一例について、以下に図６および図７を参照して詳細に説明する。ここで、図６は、第１の実施形態におけるＢＩＭシステムの基本処理の一例を示すフローチャートである。また、図７は、レイアウト画面生成処理の一例を示すフローチャートである。
【００４５】
図６に示すように、端末装置１００の作成条件送信部１０２ａは、利用者により入力される作成条件をサーバ装置２００へ送信する（ステップＳＡ−１０）。
【００４６】
そして、サーバ装置２００の作成条件受信部２０２ａは、ステップＳＡ−１０にて作成条件送信部１０２ａの処理により送信される作成条件を受信する（ステップＳＡ−２０）。
【００４７】
そして、サーバ装置２００の昇降機モデリング部２０２ｂは、ステップＳＡ−２０にて作成条件受信部２０２ａの処理により受信された作成条件に対応する昇降機のＢＩＭパーツを、パーツ情報データベース２０６ａに記憶されたパーツ情報を用いて作成する（ステップＳＡ−３０）。
【００４８】
ステップＳＡ−３０において、昇降機モデリング部２０２ｂは、昇降機のリビジョンアップに際しては、ステップＳＡ−２０にて作成条件受信部２０２ａの処理により受信された作成条件に基づいたリビジョンアップに関する条件等に対応する昇降機のＢＩＭパーツを、パーツ情報データベース２０６ａに記憶されたパーツ情報を用いて作成する。つまり、昇降機モデリング部２０２ｂは、リビジョンアップ前のＢＩＭパーツと、リビジョンアップ後のＢＩＭパーツとを作成する。具体的には、昇降機モデリング部２０２ｂは、リビジョンアップ前に作成条件受信部２０２ａの処理により受信されたリビジョンアップ前の昇降機の作成条件に対応するＢＩＭパーツを作成する。また、昇降機モデリング部２０２ｂは、リビジョンアップ後に作成条件受信部２０２ａの処理により受信されたリビジョンアップ後の昇降機の作成条件に対応するＢＩＭパーツを作成する。
【００４９】
そして、サーバ装置２００の情報提供部２０２ｃは、ステップＳＡ−３０にて昇降機モデリング部２０２ｂの処理により作成された昇降機のＢＩＭパーツを端末装置１００へ送信する（ステップＳＡ−４０）。
【００５０】
そして、端末装置１００の情報取得部１０２ｂは、ステップＳＡ−４０にて情報提供部２０２ｃの処理によりサーバ装置２００から送信された昇降機のＢＩＭパーツを受信する（ステップＳＡ−５０）。ステップＳＡ−５０において、情報取得部１０２ｂは、リビジョンアップ前にサーバ装置２００から受信されたリビジョンアップ前の昇降機の作成条件に対応するＢＩＭパーツを、ＢＩＭパーツファイル１０６ｂに格納する。また、情報取得部１０２ｂは、リビジョンアップ後にサーバ装置２００から受信されたリビジョンアップ後の昇降機の作成条件に対応するＢＩＭパーツを、ＢＩＭパーツファイル１０６ｂに格納する。
【００５１】
そして、端末装置１００の画面生成部１０２ｄは、ステップＳＡ−５０にて情報取得部１０２ｂの処理により受信されたＢＩＭパーツを少なくとも含むレイアウト画面を生成する（ステップＳＡ−６０）。
【００５２】
ここで、図７を参照して、図６のステップＳＡ−６０において実行されるレイアウト画面生成処理の詳細を説明する。図７に示すように、画面生成部１０２ｄは、ＢＩＭパーツファイル１０６ｂを参照し、リビジョンアップ前のＢＩＭパーツとリビジョンアップ後のＢＩＭパーツとが記憶されているか否かを確認することで、リビジョンアップ前のＢＩＭパーツとリビジョンアップ後のＢＩＭパーツが有るか否かを判定する（ステップＳＡ−６１）。
【００５３】
そして、画面生成部１０２ｄは、ステップＳＡ−６１にてリビジョンアップ前のＢＩＭパーツとリビジョンアップ後のＢＩＭパーツが有ると判定した場合（ステップＳＡ−６１：Ｙｅｓ）、図４に示すように、当該リビジョンアップ前のＢＩＭパーツと、当該リビジョンアップ後のＢＩＭパーツと、を重ねて表示したレイアウト画面を作成する（ステップＳＡ−６２）。そして、画面生成部１０２ｄは、ステップＳＡ−６２にて作成したレイアウト画面上に、リビジョンアップ前のＢＩＭパーツとリビジョンアップ後のＢＩＭパーツとが重なり合わない変更領域を設定する（ステップＳＡ−６３）。そして、画面生成部１０２ｄは、ステップＳＡ−６３にて設定した変更領域に対して、リビジョンアップ前後における変更点に関する詳細情報を対応付ける（ステップＳＡ−６４）。その後、図６のステップＳＡ−７０の処理へ移行する。
【００５４】
一方、画面生成部１０２ｄは、ステップＳＡ−６１にてリビジョンアップ後のＢＩＭパーツが無い（すなわち、リビジョンアップは行われていない）と判定した場合（ステップＳＡ−６１：Ｎｏ）、図６のステップＳＡ−５０にて情報取得部１０２ｂの処理によりサーバ装置２００から受信したＢＩＭパーツを含むレイアウト画面を生成する（ステップＳＡ−６５）。その後、図６のステップＳＡ−７０の処理へ移行する。
【００５５】
図６に戻り、ステップＳＡ−７０から処理の説明を続ける。端末装置１００の画面表示部１０２ｅは、ステップＳＡ−６０にて画面生成部１０２ｄの処理により生成されたレイアウト画面を表示部１１４に表示させる（ステップＳＡ−７０）。ステップＳＡ−７０において、画面表示部１０２ｅは、例えば、リビジョンアップに際し、上述の図４のレイアウト画面を表示部１１４に表示させる。
【００５６】
そして、端末装置１００の制御部１０２は、ステップＳＡ−７０にて画面表示部１０２ｅの処理により表示部１１４に表示されたレイアウト画面上で、利用者による変更領域に対する修正操作が検出されたか否かを判定する（ステップＳＡ−８０）。
【００５７】
そして、端末装置１００の修正部１０２ｇは、ステップＳＡ−８０にて利用者による変更領域に対する修正操作が検出された場合（ステップＳＡ−８０：Ｙｅｓ）、建築物のＢＩＭモデル内の昇降機の設置予定領域に設置可能なように、変更領域に対応するＢＩＭパーツを修正する（ステップＳＡ−９０）。一方、端末装置１００の制御部１０２は、ステップＳＡ−８０にて利用者による変更領域に対する修正操作が検出されなかった場合（ステップＳＡ−８０：Ｎｏ）、本処理を終了する。
【００５８】
なお、本実施形態において、端末装置１００の統合モデリング部１０２ｃは、ステップＳＡ−５０にて情報取得部１０２ｂの処理により受信されたＢＩＭパーツを、ＢＩＭモデルデータベース１０６ａに記憶されたＢＩＭモデル内の設置予定領域に設置した統合ＢＩＭモデルを作成してもよい。例えば、統合モデリング部１０２ｃは、昇降機のリビジョンアップに際し、ステップＳＡ−５０にて情報取得部１０２ｂの処理により受信されたリビジョンアップ前のＢＩＭパーツを、ＢＩＭモデルデータベース１０６ａに記憶されたＢＩＭモデル内の設置予定領域に設置した当該リビジョンアップ前の統合ＢＩＭモデルを作成してもよい。また、統合モデリング部１０２ｃは、ステップＳＡ−５０にて情報取得部１０２ｂの処理により受信されたリビジョンアップ後のＢＩＭパーツを、ＢＩＭモデルデータベース１０６ａに記憶されたＢＩＭモデル内の設置予定領域に設置した当該リビジョンアップ後の統合ＢＩＭモデルを作成してもよい。
【００５９】
この場合、ステップＳＡ−６０において、画面生成部１０２ｄは、統合モデリング部１０２ｃの処理により作成された統合ＢＩＭモデルを含むレイアウト画面を生成してもよい。例えば、画面生成部１０２ｄは、リビジョンアップに際し、上述の図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。
【００６０】
また、本実施形態において、端末装置１００の表示態様変更部１０２ｆは、ステップＳＡ−７０にて画面表示部１０２ｅの処理により表示されるレイアウト画面に含まれる変更領域の表示態様を、当該変更領域以外の昇降機のＢＩＭパーツの表示態様と異ならせてもよい。具体的には、表示態様変更部１０２ｆは、入力部１１８を介して入力された利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせてもよい。
【００６１】
以上で、第１の実施形態におけるＢＩＭシステムの処理の一例の説明を終える。
【００６２】
このように、本実施形態によれば、昇降機の設備計画を提案する際、昇降機を視覚的に分かりやすく表示することができる。例えば、昇降機のＢＩＭパーツに含まれている昇降路や機器寸法等のパラメータを用いて、リビションアップ前後の新旧データを比較し変更点の確認を行うことができる。具体的には、設計支援ツールとしてＢＩＭを用いて作成した３Ｄ昇降機モデルについて、３Ｄ昇降機モデルをリビションアップした際、リビションアップ前後の３Ｄ昇降機モデルを重ねて表示することで、重なりあわない箇所を変更点として抽出することができる。このとき、抽出箇所を色づけすることもできる。また、変更内容、注意事項、問題点等をラベル表示することもできる。このように、本実施形態によれば、一見すると分かりづらいリビションアップ前後の変更内容および変更内容の問題点等をビジュアル化することができるので、利用者はこのリビションアップ前後の変更内容等を視覚で容易に確認することができる。また、リビションアップ後にレイアウトの納まり上問題がある場合、利用者が変更箇所を選択すると、レイアウトに納まる機器選定を行うこともできる。以上述べたように、本実施形態によれば、利用者はリビションアップ前後の変更箇所を容易に確認することが可能となるため、昇降機の設備計画を検討する際の利便性を向上させることができる。
【００６３】
［第２の実施形態］
続いて、第２の実施形態について、図８および図９を参照して以下に説明する。ここで、図８は、第２の実施形態におけるＢＩＭシステムの構成の一例を示すブロック図であり、該構成のうち主要な部分を概念的に示している。
【００６４】
なお、第２の実施形態においては、サーバ装置２００側で作成条件に対応するＢＩＭパーツを含むレイアウト画面を作成し、端末装置１００へ送信して、当該端末装置１００の表示部１１４に表示させるように制御している。このように、第２の実施形態は、サーバ装置２００にてサーバ主導で処理を行う点が、その他の実施形態と異なる。
【００６５】
［第２の実施形態におけるＢＩＭシステムの構成］
まず、第２の実施形態におけるＢＩＭシステムの構成の一例について、図８を参照して以下に説明する。
【００６６】
図８に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００６７】
図８において、サーバ装置２００は、端末装置１００から送信される作成条件に対応するＢＩＭパーツを作成し、ＢＩＭパーツを含むレイアウト画面を生成し、端末装置１００へ送信して、表示部１１４に表示させるように制御する等の機能を有する。このとき、サーバ装置２００は、昇降機のリビジョンアップに際しては、当該リビジョンアップ前のＢＩＭパーツと、当該リビジョンアップ後のＢＩＭパーツとを作成する。また、サーバ装置２００は、リビジョンアップ前のＢＩＭパーツと、リビジョンアップ後のＢＩＭパーツと、を重ねて表示したレイアウト画面であって、リビジョンアップ前のＢＩＭパーツとリビジョンアップ後のＢＩＭパーツとが重なり合わない変更領域を含むレイアウト画面を生成する。
【００６８】
なお、サーバ装置２００における通信制御インターフェース部２０４および記憶部２０６（パーツ情報データベース２０６ａ、ＢＩＭモデルデータベース２０６ｂ、ＢＩＭパーツファイル２０６ｃ等）の機能、また、端末装置１００における表示部１１４、音声出力部１１６、および、入力部１１８の機能は、第１の実施形態と同様であるため説明を省略する。
【００６９】
また、図８において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、画面生成部２０２ｅ、画面表示制御部２０２ｆ、表示態様変更部２０２ｇ、および、修正部２０２ｈを備える。
【００７０】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、既設の昇降機の一部を新設品に改修するリビジョンアップに関する条件等を含んでいてもよい。また、作成条件は、利用者により端末装置１００において入力部１１８を介して入力されたものであってもよいし、予め作成条件が記憶された外部記憶装置（図示せず）から読み込まれたものであってもよい。
【００７１】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、上述の図３に示すようなエレベータの３次元のＢＩＭパーツを作成する。ここで、昇降機モデリング部２０２ｂは、作成条件に合致する範囲内でＢＩＭパーツを複数作成してもよい。
【００７２】
本実施形態において、昇降機モデリング部２０２ｂは、昇降機のリビジョンアップに際しては、作成条件受信部２０２ａにより受信された作成条件に基づいたリビジョンアップに関する条件等に対応する昇降機のＢＩＭパーツを、パーツ情報データベース２０６ａに記憶されたパーツ情報を用いて作成する。つまり、昇降機モデリング部２０２ｂは、リビジョンアップ前のＢＩＭパーツと、リビジョンアップ後のＢＩＭパーツとを作成する。具体的には、昇降機モデリング部２０２ｂは、リビジョンアップ前に作成条件受信部２０２ａにより受信されたリビジョンアップ前の昇降機の作成条件に対応するＢＩＭパーツを作成する。また、昇降機モデリング部２０２ｂは、リビジョンアップ後に作成条件受信部２０２ａにより受信されたリビジョンアップ後の昇降機の作成条件に対応するＢＩＭパーツを作成する。
【００７３】
更に、本実施形態において、昇降機モデリング部２０２ｂは、作成した昇降機のＢＩＭパーツを記憶部２０６に格納して、ＢＩＭパーツファイル２０６ｃを構築する。例えば、昇降機モデリング部２０２ｂは、リビジョンアップ前に作成条件受信部２０２ａにより受信されたリビジョンアップ前の昇降機の作成条件に対応するＢＩＭパーツを作成する。そして、昇降機モデリング部２０２ｂは、作成したリビジョンアップ前のＢＩＭパーツをＢＩＭパーツファイル２０６ｃに格納する。また、昇降機モデリング部２０２ｂは、リビジョンアップ後に作成条件受信部２０２ａにより受信されたリビジョンアップ後の昇降機の作成条件に対応するＢＩＭパーツを作成する。そして、昇降機モデリング部２０２ｂは、作成したリビジョンアップ後のＢＩＭパーツをＢＩＭパーツファイル２０６ｃに格納する。
【００７４】
また、統合モデリング部２０２ｄは、昇降機モデリング部２０２ｂにより作成されたＢＩＭパーツを、ＢＩＭモデルデータベース２０６ｂに記憶されたＢＩＭモデル内の設置予定領域に設置した統合ＢＩＭモデルを作成する統合モデリング手段である。本実施形態において、統合モデリング部２０２ｄは、昇降機のリビジョンアップに際しては、昇降機モデリング部２０２ｂにより作成され、ＢＩＭパーツファイル２０６ｃに格納されたリビジョンアップ前のＢＩＭパーツを、ＢＩＭモデルデータベース２０６ｂに記憶されたＢＩＭモデル内の設置予定領域に設置した当該リビジョンアップ前の統合ＢＩＭモデルを作成してもよい。また、統合モデリング部２０２ｄは、昇降機モデリング部２０２ｂにより作成され、ＢＩＭパーツファイル２０６ｃに格納されたリビジョンアップ後のＢＩＭパーツを、ＢＩＭモデルデータベース２０６ｂに記憶されたＢＩＭモデル内の設置予定領域に設置した当該リビジョンアップ後の統合ＢＩＭモデルを作成してもよい。ここで、統合モデリング部２０２ｄは、作成した統合ＢＩＭモデルを記憶部２０６に格納して、統合ＢＩＭモデルデータベース（図示せず）を構築してもよい。この場合、統合モデリング部２０２ｄは、リビジョンアップ前の統合ＢＩＭモデルと、リビジョンアップ後の統合ＢＩＭモデルとを、統合ＢＩＭモデルデータベース（図示せず）に格納してもよい。
【００７５】
また、画面生成部２０２ｅは、昇降機モデリング部２０２ｂにより作成されたＢＩＭパーツを少なくとも含むレイアウト画面を生成する画面生成手段である。本実施形態において、画面生成部２０２ｅは、昇降機モデリング部２０２ｂにより作成されたＢＩＭパーツが格納されるＢＩＭパーツファイル２０６ｃを参照し、リビジョンアップ前のＢＩＭパーツと、リビジョンアップ後のＢＩＭパーツとが記憶されているか否かを確認する。そして、画面生成部２０２ｅは、ＢＩＭパーツファイル２０６ｃにリビジョンアップ前のＢＩＭパーツとリビジョンアップ後のＢＩＭパーツがある場合、上述の図４に示すように、当該リビジョンアップ前のＢＩＭパーツと、当該リビジョンアップ後のＢＩＭパーツと、を重ねて表示したレイアウト画面を作成する。このレイアウト画面は、リビジョンアップ前のＢＩＭパーツとリビジョンアップ後のＢＩＭパーツとが重なり合わない変更領域を含む画面である。
【００７６】
具体的には、画面生成部２０２ｅは、リビジョンアップ前のＢＩＭパーツに含まれるパーツ情報と、リビジョンアップ後のＢＩＭパーツに含まれるパーツ情報とを比較することで、リビジョンアップ前後における変更点を抽出する。例えば、リビジョンアップ前後における変更点としては、上述の図４に示すように、ＢＩＭパーツがエレベータの場合、乗りかごの寸法やカウンタウェイトの寸法の違い等が挙げられる。そして、画面生成部２０２ｅは、リビジョンアップ前のＢＩＭパーツとリビジョンアップ後のＢＩＭパーツとの比較の際に抽出した変更点が生じた箇所を、変更領域として設定する。例えば、リビジョンアップ前後における変更点として、エレベータの乗りかごの寸法と、カウンタウェイトの寸法の違いが抽出された場合、画面生成部２０２ｅは、リビジョンアップ前のＢＩＭパーツと、リビジョンアップ後のＢＩＭパーツと、を重ねて表示したレイアウト画面上で、エレベータの乗りかごの寸法とカウンタウェイトの寸法が異なる領域を、変更領域として含むようにレイアウト画面（図４の右側参照）を生成する。
【００７７】
更に、画面生成部２０２ｅは、リビジョンアップ前のＢＩＭパーツとリビジョンアップ後のＢＩＭパーツとの比較の際、リビジョンアップ内容を示す変更内容の詳細、リビジョンアップに際して利用者に通知すべき注意事項の詳細、リビジョンアップ後に発生し得る問題点の詳細等を、リビジョンアップ前後における変更点の詳細情報として抽出してもよい。この場合、画面生成部２０２ｅは、昇降機のリビジョンアップ前後における変更点に関する詳細情報を、変更領域に対応付けて表示するレイアウト画面（図４の右側参照）を生成する。
【００７８】
この他、画面生成部２０２ｅは、統合モデリング部２０２ｄにより作成された統合ＢＩＭモデルを含むレイアウト画面を生成してもよい。本実施形態において、画面生成部２０２ｅは、リビジョンアップに際し、上述の図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。
【００７９】
また、画面表示制御部２０２ｆは、画面生成部２０２ｅにより生成されたレイアウト画面を端末装置１００へ送信し、当該レイアウト画面を端末装置１００の表示部１１４に表示させるように制御する画面表示制御手段である。本実施形態において、画面表示制御部２０２ｆは、例えば、リビジョンアップに際し、上述の図４のレイアウト画面または図５のレイアウト画面を表示部１１４に表示させるように制御する。
【００８０】
また、表示態様変更部２０２ｇは、画面表示制御部２０２ｆにより表示されるレイアウト画面に含まれる変更領域の表示態様を、当該変更領域以外の昇降機のＢＩＭパーツの表示態様と異ならせる表示態様変更手段である。具体的には、表示態様変更部２０２ｇは、入力部１１８を介して入力され端末装置１００から受信した利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせる。
【００８１】
例えば、表示態様変更部２０２ｇは、作成条件に含まれる利用者が指定した表示態様の設定条件にしたがって、変更領域の表示態様を当該変更領域以外の昇降機のＢＩＭパーツの表示態様と異ならせるように、変更領域の表示態様を制御する表示パラメータを設定する。そして、表示態様変更部２０２ｇは、当該表示パラメータを画面生成部２０２ｅへ出力して、画面生成部２０２ｅに当該表示パラメータを含むレイアウト画面を作成させる。そして、画面表示制御部２０２ｆがこの表示パラメータを含むレイアウト画面を端末装置１００へ送信して表示部１１４に表示させるように制御することで、レイアウト画面上で変更領域の表示態様と、当該変更領域以外の昇降機のＢＩＭパーツの表示態様とを異ならせた状態で、変更領域を表示する。また、表示態様変更部２０２ｇは、レイアウト画面上で利用者が表示態様を変更させる操作を行った場合にサーバ装置２００へ送信される検出信号に応じて、上記表示態様変更処理を実行してもよい。
【００８２】
また、修正部２０２ｈは、画面表示制御部２０２ｆにより表示部１１４に表示されたレイアウト画面上で、利用者による変更領域に対する修正操作が検出された場合にサーバ装置２００へ送信される修正内容を含む作成条件に基づいて、建築物のＢＩＭモデル内の昇降機の設置予定領域に設置可能なように、変更領域に対応するＢＩＭパーツを修正する修正手段である。この他、修正部２０２ｈは、レイアウト画面上で修正操作が検出された場合にサーバ装置２００へ送信される修正内容を含む作成条件に基づいて、昇降機の昇降路内の可動領域に納まるように、変更領域に対応するＢＩＭパーツを修正してもよい。
【００８３】
以上で、第２の実施形態におけるＢＩＭシステムの構成の一例の説明を終える。
【００８４】
［第２の実施形態におけるＢＩＭシステムの処理］
次に、このように構成された第２の実施形態におけるＢＩＭシステムの処理の一例について、以下に図９を参照して詳細に説明する。図９は、第２の実施形態におけるＢＩＭシステムの基本処理の一例を示すフローチャートである。
【００８５】
図９に示すように、端末装置１００の制御部１０２は、利用者により入力される作成条件をサーバ装置２００へ送信する（ステップＳＢ−１０）。
【００８６】
そして、サーバ装置２００の作成条件受信部２０２ａは、ステップＳＢ−１０にて制御部１０２の処理により送信される作成条件を受信する（ステップＳＢ−２０）。
【００８７】
そして、サーバ装置２００の昇降機モデリング部２０２ｂは、ステップＳＢ−２０にて作成条件受信部２０２ａの処理により受信された作成条件に対応する昇降機のＢＩＭパーツを、パーツ情報データベース２０６ａに記憶されたパーツ情報を用いて作成する（ステップＳＢ−３０）。
【００８８】
ステップＳＢ−３０において、昇降機モデリング部２０２ｂは、昇降機のリビジョンアップに際しては、ステップＳＢ−２０にて作成条件受信部２０２ａの処理により受信された作成条件に基づいたリビジョンアップに関する条件等に対応する昇降機のＢＩＭパーツを、パーツ情報データベース２０６ａに記憶されたパーツ情報を用いて作成する。つまり、昇降機モデリング部２０２ｂは、リビジョンアップ前のＢＩＭパーツと、リビジョンアップ後のＢＩＭパーツとを作成する。具体的には、昇降機モデリング部２０２ｂは、リビジョンアップ前に作成条件受信部２０２ａの処理により受信されたリビジョンアップ前の昇降機の作成条件に対応するＢＩＭパーツを作成する。また、昇降機モデリング部２０２ｂは、リビジョンアップ後に作成条件受信部２０２ａの処理により受信されたリビジョンアップ後の昇降機の作成条件に対応するＢＩＭパーツを作成する。
【００８９】
更に、ステップＳＢ−３０において、昇降機モデリング部２０２ｂは、リビジョンアップ前に作成したリビジョンアップ前の昇降機の作成条件に対応するＢＩＭパーツを、ＢＩＭパーツファイル２０６ｃに格納する。また、昇降機モデリング部２０２ｂは、リビジョンアップ後に作成したリビジョンアップ後の昇降機の作成条件に対応するＢＩＭパーツを、ＢＩＭパーツファイル２０６ｃに格納する。
【００９０】
そして、サーバ装置２００の画面生成部２０２ｅは、ステップＳＢ−３０にて昇降機モデリング部２０２ｂの処理により作成されたＢＩＭパーツを少なくとも含むレイアウト画面を生成する（ステップＳＢ−４０）。
【００９１】
ステップＳＢ−４０において、画面生成部２０２ｅは、ステップＳＢ−３０にて昇降機モデリング部２０２ｂの処理により作成されたＢＩＭパーツが格納されるＢＩＭパーツファイル２０６ｃを参照し、リビジョンアップ前のＢＩＭパーツと、リビジョンアップ後のＢＩＭパーツとが記憶されているか否かを確認する。そして、画面生成部２０２ｅは、ＢＩＭパーツファイル２０６ｃにリビジョンアップ前のＢＩＭパーツとリビジョンアップ後のＢＩＭパーツがある場合、上述の図４に示すように、当該リビジョンアップ前のＢＩＭパーツと、当該リビジョンアップ後のＢＩＭパーツと、を重ねて表示したレイアウト画面を作成する。このレイアウト画面は、リビジョンアップ前のＢＩＭパーツとリビジョンアップ後のＢＩＭパーツとが重なり合わない変更領域を含む画面である。なお、図９のステップＳＢ−４０において実行されるレイアウト画面生成処理の詳細については、上述の図７に示した内容と同様であるため、説明を省略する。
【００９２】
そして、サーバ装置２００の画面表示制御部２０２ｆは、ステップＳＢ−４０にて画面生成部２０２ｅの処理により生成されたレイアウト画面を端末装置１００へ送信し（ステップＳＢ−５０）、当該レイアウト画面を端末装置１００の表示部１１４に表示させるように制御する（ステップＳＢ−６０）。ステップＳＢ−５０〜６０において、画面表示制御部２０２ｆは、例えば、リビジョンアップに際し、上述の図４のレイアウト画面を表示部１１４に表示させるように制御する。
【００９３】
そして、端末装置１００の制御部１０２は、ステップＳＢ−５０〜６０にて画面表示制御部２０２ｆの処理により表示部１１４に表示されたレイアウト画面上で、利用者による変更領域に対する修正操作が検出されたか否かを判定する（ステップＳＢ−７０）。
【００９４】
そして、端末装置１００の制御部１０２は、ステップＳＢ−７０にて利用者による変更領域に対する修正操作が検出された場合（ステップＳＢ−７０：Ｙｅｓ）、ステップＳＢ−１０に移行し、建築物のＢＩＭモデル内の昇降機の設置予定領域に設置可能なように、変更領域に対応するＢＩＭパーツを修正する修正内容を含む作成条件を、サーバ装置２００へ送信する。そして、サーバ装置２００の修正部２０２ｈは、ステップＳＢ−３０において、端末装置１００から受信した修正内容を含む作成条件に基づいて、建築物のＢＩＭモデル内の昇降機の設置予定領域に設置可能なように、変更領域に対応するＢＩＭパーツを修正する。この他、修正部２０２ｈは、レイアウト画面上で修正操作が検出された場合にサーバ装置２００へ送信される修正内容を含む作成条件に基づいて、昇降機の昇降路内の可動領域に納まるように、変更領域に対応するＢＩＭパーツを修正してもよい。
【００９５】
一方、端末装置１００の制御部１０２は、ステップＳＢ−７０にて利用者による変更領域に対する修正操作が検出されなかった場合は（ステップＳＢ−７０：Ｎｏ）、本処理を終了する。
【００９６】
なお、本実施形態において、サーバ装置２００の統合モデリング部２０２ｄは、ステップＳＢ−３０にて昇降機モデリング部２０２ｂの処理により作成されたＢＩＭパーツを、ＢＩＭモデルデータベース２０６ｂに記憶されたＢＩＭモデル内の設置予定領域に設置した統合ＢＩＭモデルを作成してもよい。例えば、統合モデリング部２０２ｄは、昇降機のリビジョンアップに際し、ステップＳＢ−３０にて昇降機モデリング部２０２ｂの処理により作成されたリビジョンアップ前のＢＩＭパーツを、ＢＩＭモデルデータベース２０６ｂに記憶されたＢＩＭモデル内の設置予定領域に設置した当該リビジョンアップ前の統合ＢＩＭモデルを作成してもよい。また、統合モデリング部２０２ｄは、ステップＳＢ−３０にて昇降機モデリング部２０２ｂの処理により作成されたリビジョンアップ後のＢＩＭパーツを、ＢＩＭモデルデータベース２０６ｂに記憶されたＢＩＭモデル内の設置予定領域に設置した当該リビジョンアップ後の統合ＢＩＭモデルを作成してもよい。
【００９７】
この場合、ステップＳＢ−４０において、画面生成部２０２ｅは、統合モデリング部２０２ｄの処理により作成された統合ＢＩＭモデルを含むレイアウト画面を生成してもよい。例えば、画面生成部２０２ｅは、リビジョンアップに際し、上述の図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。
【００９８】
また、本実施形態において、サーバ装置２００の表示態様変更部２０２ｇは、ステップＳＢ−５０〜６０にて画面表示制御部２０２ｆの処理により表示されるレイアウト画面に含まれる変更領域の表示態様を、当該変更領域以外の昇降機のＢＩＭパーツの表示態様と異ならせてもよい。具体的には、表示態様変更部２０２ｇは、入力部１１８を介して入力され端末装置１００から受信した利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせてもよい。
【００９９】
以上で、第２の実施形態におけるＢＩＭシステムの処理の一例の説明を終える。
【０１００】
なお、第２の実施形態のＢＩＭシステムにおいても、第１の実施形態と同様の効果を有する。
【０１０１】
［第３の実施形態］
続いて、第３の実施形態について、図１０および図１１を参照して以下に説明する。ここで、図１０は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１０２】
なお、第３の実施形態においては、全ての機能をＢＩＭ装置４００に集約し、当該ＢＩＭ装置４００は、利用者により入力される作成条件に対応するＢＩＭパーツを作成し、ＢＩＭパーツを含むレイアウト画面を生成し、レイアウト画面を表示部４１４に表示させる等の機能を有する。このとき、ＢＩＭ装置４００は、昇降機のリビジョンアップに際しては、リビジョンアップ前のＢＩＭパーツと、リビジョンアップ後のＢＩＭパーツとを作成し、リビジョンアップ前のＢＩＭパーツとリビジョンアップ後のＢＩＭパーツとを重ねて表示したレイアウト画面であって、リビジョンアップ前のＢＩＭパーツとリビジョンアップ後のＢＩＭパーツとが重なり合わない変更領域を含む前記レイアウト画面を生成する。このように、第３の実施形態は、ＢＩＭ装置４００がスタンドアロン型に構成され単独で処理を行う点がその他の実施形態と異なる。
【０１０３】
［第３の実施形態におけるＢＩＭシステムの構成］
まず、第３の実施形態におけるＢＩＭシステムの構成の一例について、図１１を参照して以下に説明する。
【０１０４】
図１１に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１０５】
図１１において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、および、ＢＩＭパーツファイル４０６ｃ等）についても、サーバ装置２００ではなくＢＩＭ装置４００に備えられている点を除き、各機能が第１の実施形態と同様であるため説明を省略する。
【０１０６】
また、制御部４０２の各部については、本実施形態のＢＩＭ装置４００がスタンドアロン型であり、制御部４０２が各送信部を備えていない点を除き、各機能は第１の実施形態と基本的に同様である。
【０１０７】
また、図１１において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、表示態様変更部４０２ｆ、および、修正部４０２ｇを備える。
【０１０８】
このうち、作成条件設定部４０２ａは、利用者により入力部４１８を介して入力される作成条件を設定する作成条件設定手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、既設の昇降機の一部を新設品に改修するリビジョンアップに関する条件等を含んでいてもよい。また、作成条件は、予め作成条件が記憶された外部記憶装置（図示せず）から読み込まれたものであってもよい。
【０１０９】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、上述の図３に示すようなエレベータの３次元のＢＩＭパーツを作成する。ここで、昇降機モデリング部４０２ｂは、作成条件に合致する範囲内でＢＩＭパーツを複数作成してもよい。
【０１１０】
本実施形態において、昇降機モデリング部４０２ｂは、昇降機のリビジョンアップに際しては、作成条件設定部４０２ａにより設定された作成条件に基づいたリビジョンアップに関する条件等に対応する昇降機のＢＩＭパーツを、パーツ情報データベース４０６ａに記憶されたパーツ情報を用いて作成する。つまり、昇降機モデリング部４０２ｂは、リビジョンアップ前のＢＩＭパーツと、リビジョンアップ後のＢＩＭパーツとを作成する。具体的には、昇降機モデリング部４０２ｂは、リビジョンアップ前に作成条件設定部４０２ａにより設定されたリビジョンアップ前の昇降機の作成条件に対応するＢＩＭパーツを作成する。また、昇降機モデリング部４０２ｂは、リビジョンアップ後に作成条件設定部４０２ａにより設定されたリビジョンアップ後の昇降機の作成条件に対応するＢＩＭパーツを作成する。
【０１１１】
更に、本実施形態において、昇降機モデリング部４０２ｂは、作成した昇降機のＢＩＭパーツを記憶部４０６に格納して、ＢＩＭパーツファイル４０６ｃを構築する。例えば、昇降機モデリング部４０２ｂは、リビジョンアップ前に作成条件設定部４０２ａにより設定されたリビジョンアップ前の昇降機の作成条件に対応するＢＩＭパーツを作成する。そして、昇降機モデリング部４０２ｂは、作成したリビジョンアップ前のＢＩＭパーツをＢＩＭパーツファイル４０６ｃに格納する。また、昇降機モデリング部４０２ｂは、リビジョンアップ後に作成条件設定部４０２ａにより受信されたリビジョンアップ後の昇降機の作成条件に対応するＢＩＭパーツを作成する。そして、昇降機モデリング部４０２ｂは、作成したリビジョンアップ後のＢＩＭパーツをＢＩＭパーツファイル４０６ｃに格納する。
【０１１２】
また、統合モデリング部４０２ｃは、昇降機モデリング部４０２ｂにより作成されたＢＩＭパーツを、ＢＩＭモデルデータベース４０６ｂに記憶されたＢＩＭモデル内の設置予定領域に設置した統合ＢＩＭモデルを作成する統合モデリング手段である。本実施形態において、統合モデリング部４０２ｃは、昇降機のリビジョンアップに際しては、昇降機モデリング部４０２ｂにより作成され、ＢＩＭパーツファイル４０６ｃに格納されたリビジョンアップ前のＢＩＭパーツを、ＢＩＭモデルデータベース４０６ｂに記憶されたＢＩＭモデル内の設置予定領域に設置した当該リビジョンアップ前の統合ＢＩＭモデルを作成してもよい。また、統合モデリング部４０２ｃは、昇降機モデリング部４０２ｂにより作成され、ＢＩＭパーツファイル４０６ｃに格納されたリビジョンアップ後のＢＩＭパーツを、ＢＩＭモデルデータベース４０６ｂに記憶されたＢＩＭモデル内の設置予定領域に設置した当該リビジョンアップ後の統合ＢＩＭモデルを作成してもよい。ここで、統合モデリング部４０２ｃは、作成した統合ＢＩＭモデルを記憶部４０６に格納して、統合ＢＩＭモデルデータベース（図示せず）を構築してもよい。この場合、統合モデリング部４０２ｃは、リビジョンアップ前の統合ＢＩＭモデルと、リビジョンアップ後の統合ＢＩＭモデルとを、統合ＢＩＭモデルデータベース（図示せず）に格納してもよい。
【０１１３】
また、画面生成部４０２ｄは、昇降機モデリング部４０２ｂにより作成されたＢＩＭパーツを少なくとも含むレイアウト画面を生成する画面生成手段である。本実施形態において、画面生成部４０２ｄは、昇降機モデリング部４０２ｂにより作成されたＢＩＭパーツが格納されるＢＩＭパーツファイル４０６ｃを参照し、リビジョンアップ前のＢＩＭパーツと、リビジョンアップ後のＢＩＭパーツとが記憶されているか否かを確認する。そして、画面生成部４０２ｄは、ＢＩＭパーツファイル４０６ｃにリビジョンアップ前のＢＩＭパーツとリビジョンアップ後のＢＩＭパーツがある場合、上述の図４に示すように、当該リビジョンアップ前のＢＩＭパーツと、当該リビジョンアップ後のＢＩＭパーツと、を重ねて表示したレイアウト画面を作成する。このレイアウト画面は、リビジョンアップ前のＢＩＭパーツとリビジョンアップ後のＢＩＭパーツとが重なり合わない変更領域を含む画面である。
【０１１４】
具体的には、画面生成部４０２ｄは、リビジョンアップ前のＢＩＭパーツに含まれるパーツ情報と、リビジョンアップ後のＢＩＭパーツに含まれるパーツ情報とを比較することで、リビジョンアップ前後における変更点を抽出する。例えば、リビジョンアップ前後における変更点としては、上述の図４に示すように、ＢＩＭパーツがエレベータの場合、乗りかごの寸法やカウンタウェイトの寸法の違い等が挙げられる。そして、画面生成部４０２ｄは、リビジョンアップ前のＢＩＭパーツとリビジョンアップ後のＢＩＭパーツとの比較の際に抽出した変更点が生じた箇所を、変更領域として設定する。例えば、リビジョンアップ前後における変更点として、エレベータの乗りかごの寸法と、カウンタウェイトの寸法の違いが抽出された場合、画面生成部４０２ｄは、リビジョンアップ前のＢＩＭパーツと、リビジョンアップ後のＢＩＭパーツと、を重ねて表示したレイアウト画面上で、エレベータの乗りかごの寸法とカウンタウェイトの寸法が異なる領域を、変更領域として含むようにレイアウト画面（図４の右側参照）を生成する。
【０１１５】
更に、画面生成部４０２ｄは、リビジョンアップ前のＢＩＭパーツとリビジョンアップ後のＢＩＭパーツとの比較の際、リビジョンアップ内容を示す変更内容の詳細、リビジョンアップに際して利用者に通知すべき注意事項の詳細、リビジョンアップ後に発生し得る問題点の詳細等を、リビジョンアップ前後における変更点の詳細情報として抽出してもよい。この場合、画面生成部４０２ｄは、昇降機のリビジョンアップ前後における変更点に関する詳細情報を、変更領域に対応付けて表示するレイアウト画面（図４の右側参照）を生成する。
【０１１６】
この他、画面生成部４０２ｄは、統合モデリング部４０２ｃにより作成された統合ＢＩＭモデルを含むレイアウト画面を生成してもよい。本実施形態において、画面生成部４０２ｄは、リビジョンアップに際し、上述の図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。
【０１１７】
また、画面表示部４０２ｅは、画面生成部４０２ｄにより生成されたレイアウト画面を表示部４１４に表示させる画面表示手段である。本実施形態において、画面表示部４０２ｅは、例えば、リビジョンアップに際し、上述の図４のレイアウト画面または図５のレイアウト画面を表示部４１４に表示させる。
【０１１８】
また、表示態様変更部４０２ｆは、画面表示部４０２ｅにより表示されるレイアウト画面に含まれる変更領域の表示態様を、当該変更領域以外の昇降機のＢＩＭパーツの表示態様と異ならせる表示態様変更手段である。具体的には、表示態様変更部４０２ｆは、入力部４１８を介して入力された利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせる。
【０１１９】
例えば、表示態様変更部４０２ｆは、作成条件に含まれる利用者が指定した表示態様の設定条件にしたがって、変更領域の表示態様を当該変更領域以外の昇降機のＢＩＭパーツの表示態様と異ならせるように、変更領域の表示態様を制御する表示パラメータを設定する。そして、表示態様変更部４０２ｆは、当該表示パラメータを画面生成部４０２ｄへ出力して、画面生成部４０２ｄに当該表示パラメータを含むレイアウト画面を作成させる。そして、画面表示部４０２ｅがこの表示パラメータを含むレイアウト画面を表示部４１４に表示することで、レイアウト画面上で変更領域の表示態様と、当該変更領域以外の昇降機のＢＩＭパーツの表示態様とを異ならせた状態で、変更領域を表示する。また、表示態様変更部４０２ｆは、レイアウト画面上で利用者が表示態様を変更させる操作を行った場合に、上記表示態様変更処理を実行してもよい。
【０１２０】
また、修正部４０２ｇは、画面表示部４０２ｅにより表示部４１４に表示されたレイアウト画面上で、利用者による変更領域に対する修正操作が検出された場合、建築物のＢＩＭモデル内の昇降機の設置予定領域に設置可能なように、変更領域に対応するＢＩＭパーツを修正する修正手段である。この他、修正部４０２ｇは、レイアウト画面上で修正操作が検出された場合、昇降機の昇降路内の可動領域に納まるように、変更領域に対応するＢＩＭパーツを修正してもよい。
【０１２１】
以上で、第３の実施形態におけるＢＩＭシステムの構成の一例の説明を終える。
【０１２２】
［第３の実施形態におけるＢＩＭシステムの処理］
次に、このように構成された第３の実施形態におけるＢＩＭシステムの処理の一例について、以下に図１１を参照して詳細に説明する。図１１は、第３の実施形態におけるＢＩＭ装置４００の処理の一例を示すフローチャートである。
【０１２３】
図１１に示すように、作成条件設定部４０２ａは、利用者により入力される作成条件を設定する（ステップＳＣ−１０）。
【０１２４】
そして、昇降機モデリング部４０２ｂは、ステップＳＣ−１０にて作成条件設定部４０２ａの処理により設定された作成条件に対応するＢＩＭパーツを、パーツ情報データベース４０６ａに記憶されたパーツ情報を用いて作成する（ステップＳＣ−２０）。
【０１２５】
ステップＳＣ−２０において、昇降機モデリング部４０２ｂは、昇降機のリビジョンアップに際しては、ステップＳＣ−１０にて作成条件設定部４０２ａの処理により設定された作成条件に基づいたリビジョンアップに関する条件等に対応する昇降機のＢＩＭパーツを、パーツ情報データベース４０６ａに記憶されたパーツ情報を用いて作成する。つまり、昇降機モデリング部４０２ｂは、リビジョンアップ前のＢＩＭパーツと、リビジョンアップ後のＢＩＭパーツとを作成する。具体的には、昇降機モデリング部４０２ｂは、リビジョンアップ前に作成条件設定部４０２ａの処理により設定されたリビジョンアップ前の昇降機の作成条件に対応するＢＩＭパーツを作成する。また、昇降機モデリング部４０２ｂは、リビジョンアップ後に作成条件設定部４０２ａの処理により設定されたリビジョンアップ後の昇降機の作成条件に対応するＢＩＭパーツを作成する。
【０１２６】
更に、ステップＳＣ−２０において、昇降機モデリング部４０２ｂは、リビジョンアップ前に作成したリビジョンアップ前の昇降機の作成条件に対応するＢＩＭパーツを、ＢＩＭパーツファイル４０６ｃに格納する。また、昇降機モデリング部４０２ｂは、リビジョンアップ後に作成したリビジョンアップ後の昇降機の作成条件に対応するＢＩＭパーツを、ＢＩＭパーツファイル４０６ｃに格納する。
【０１２７】
そして、画面生成部４０２ｄは、ステップＳＣ−２０にて昇降機モデリング部４０２ｂの処理により作成されたＢＩＭパーツを少なくとも含むレイアウト画面を生成する（ステップＳＣ−３０）。
【０１２８】
ステップＳＣ−３０において、画面生成部４０２ｄは、ステップＳＣ−２０にて昇降機モデリング部４０２ｂの処理により作成されたＢＩＭパーツが格納されるＢＩＭパーツファイル４０６ｃを参照し、リビジョンアップ前のＢＩＭパーツと、リビジョンアップ後のＢＩＭパーツとが記憶されているか否かを確認する。そして、画面生成部４０２ｄは、ＢＩＭパーツファイル４０６ｃにリビジョンアップ前のＢＩＭパーツとリビジョンアップ後のＢＩＭパーツがある場合、上述の図４に示すように、当該リビジョンアップ前のＢＩＭパーツと、当該リビジョンアップ後のＢＩＭパーツと、を重ねて表示したレイアウト画面を作成する。このレイアウト画面は、リビジョンアップ前のＢＩＭパーツとリビジョンアップ後のＢＩＭパーツとが重なり合わない変更領域を含む画面である。なお、図１１のステップＳＣ−３０において実行されるレイアウト画面生成処理の詳細については、上述の図７に示した内容と同様であるため、説明を省略する。
【０１２９】
そして、画面表示部４０２ｅは、ステップＳＣ−３０にて画面生成部４０２ｄの処理により生成されたレイアウト画面を表示部４１４に表示させる（ステップＳＣ−４０）。ステップＳＣ−４０において、画面表示部４０２ｅは、例えば、リビジョンアップに際し、上述の図４のレイアウト画面を表示部４１４に表示させる。
【０１３０】
そして、制御部４０２は、ステップＳＣ−４０にて画面表示部４０２ｅの処理により表示部４１４に表示されたレイアウト画面上で、利用者による変更領域に対する修正操作が検出されたか否かを判定する（ステップＳＣ−５０）。
【０１３１】
そして、修正部４０２ｇは、ステップＳＣ−５０にて利用者による変更領域に対する修正操作が検出された場合（ステップＳＣ−５０：Ｙｅｓ）、建築物のＢＩＭモデル内の昇降機の設置予定領域に設置可能なように、変更領域に対応するＢＩＭパーツを修正する（ステップＳＣ−６０）。一方、制御部４０２は、ステップＳＣ−５０にて利用者による変更領域に対する修正操作が検出されなかった場合（ステップＳＣ−５０：Ｎｏ）、本処理を終了する。
【０１３２】
なお、本実施形態において、統合モデリング部４０２ｃは、ステップＳＣ−２０にて昇降機モデリング部４０２ｂの処理により作成されたＢＩＭパーツを、ＢＩＭモデルデータベース４０６ｂに記憶されたＢＩＭモデル内の設置予定領域に設置した統合ＢＩＭモデルを作成してもよい。例えば、統合モデリング部４０２ｃは、昇降機のリビジョンアップに際し、ステップＳＣ−２０にて昇降機モデリング部４０２ｂの処理により作成されたリビジョンアップ前のＢＩＭパーツを、ＢＩＭモデルデータベース４０６ｂに記憶されたＢＩＭモデル内の設置予定領域に設置した当該リビジョンアップ前の統合ＢＩＭモデルを作成してもよい。また、統合モデリング部４０２ｃは、ステップＳＣ−２０にて昇降機モデリング部４０２ｂの処理により受信されたリビジョンアップ後のＢＩＭパーツを、ＢＩＭモデルデータベース４０６ｂに記憶されたＢＩＭモデル内の設置予定領域に設置した当該リビジョンアップ後の統合ＢＩＭモデルを作成してもよい。
【０１３３】
この場合、ステップＳＣ−３０において、画面生成部４０２ｄは、統合モデリング部４０２ｃの処理により作成された統合ＢＩＭモデルを含むレイアウト画面を生成してもよい。例えば、画面生成部４０２ｄは、リビジョンアップに際し、上述の図５に示すように、リビジョンアップ前の統合ＢＩＭモデルとリビジョンアップ後の統合ＢＩＭモデルと、を重ねて表示したレイアウト画面を生成してもよい。この場合のレイアウト画面は、リビジョンアップ前の統合ＢＩＭモデルとリビジョンアップ後の統合ＢＩＭモデルとが重なり合わない変更領域を含むレイアウト画面である。
【０１３４】
また、本実施形態において、表示態様変更部４０２ｆは、ステップＳＣ−４０にて画面表示部４０２ｅの処理により表示されるレイアウト画面に含まれる変更領域の表示態様を、当該変更領域以外の昇降機のＢＩＭパーツの表示態様と異ならせてもよい。具体的には、表示態様変更部４０２ｆは、入力部４１８を介して入力された利用者の設定条件にしたがって、レイアウト画面上に表示された変更領域の色を変化させたり、変更領域を強調表示させたり、変更領域を点滅表示させることで、変更領域の表示態様を当該変更領域以外の昇降機のＢＩＭパーツの表示態様と異ならせてもよい。
【０１３５】
以上で、第３の実施形態におけるＢＩＭシステムの処理の一例の説明を終える。
【０１３６】
なお、第３の実施形態のＢＩＭシステムにおいても、第１の実施形態と同様の効果を有する。
【０１３７】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３８】
例えば、上述の実施形態では、昇降機としてエレベータを例にして説明したが、エスカレータ、動く歩道等の乗客コンベアについても同様に本発明を適用できる。
【０１３９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４０】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１４１】
また、端末装置１００、サーバ装置２００、および、ＢＩＭ装置４００に関して、図示の各構成要素は機能概念的なものであり、必ずしも物理的に図示の如く構成されていることを要しない。
【０１４２】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４３】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１４４】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１４５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４６】
記憶部１０６、記憶部２０６、および、記憶部４０６に格納される各種のデータベース等（ＢＩＭモデルデータベース１０６ａ、ＢＩＭパーツファイル１０６ｂ、パーツ情報データベース２０６ａ、ＢＩＭモデルデータベース２０６ｂ、ＢＩＭパーツファイル２０６ｃ、パーツ情報データベース４０６ａ、ＢＩＭモデルデータベース４０６ｂ、および、ＢＩＭパーツファイル４０６ｃ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４７】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１４８】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１４９】
以上で説明した実施形態、変形例に係るＢＩＭシステム、サーバ装置、端末装置、方法およびプログラムによれば、その結果、昇降機の設備計画を提案する際、昇降機を視覚的に分かりやすく表示することができる。
【０１５０】
［付記］
実施形態のサーバ装置は、表示部を少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記情報提供手段により前記サーバ装置から送信された前記ＢＩＭパーツを少なくとも含むレイアウト画面が生成され、生成された前記レイアウト画面が前記表示部に表示され、前記昇降機モデリング手段は、前記昇降機のリビジョンアップに際し、当該リビジョンアップ前の前記ＢＩＭパーツと、当該リビジョンアップ後の前記ＢＩＭパーツとを作成し、前記レイアウト画面は、前記端末装置において生成される、前記リビジョンアップ前の前記ＢＩＭパーツと、前記リビジョンアップ後の前記ＢＩＭパーツと、を重ねて表示した画面であって、前記リビジョンアップ前の前記ＢＩＭパーツと前記リビジョンアップ後の前記ＢＩＭパーツとが重なり合わない変更領域を含む画面であることを特徴とする。
【０１５１】
実施形態の端末装置は、サーバ装置に通信可能に接続された、制御部と表示部とを少なくとも備えた端末装置であって、前記制御部は、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを少なくとも含むレイアウト画面を生成する画面生成手段と、前記画面生成手段により生成された前記レイアウト画面を前記表示部に表示させる画面表示手段と、を備え、前記サーバ装置において、前記昇降機のリビジョンアップに際し、当該リビジョンアップ前の前記ＢＩＭパーツと、当該リビジョンアップ後の前記ＢＩＭパーツとが作成され、前記画面生成手段は、前記サーバ装置から受信した、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面を生成することを特徴とする。
【０１５２】
実施形態のＢＩＭシステムは、制御部と記憶部とを少なくとも備えたサーバ装置、および、表示部を少なくとも備えた端末装置、を通信可能に接続したＢＩＭシステムであって、前記記憶部は、昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成する画面生成手段と、前記画面生成手段により生成された前記レイアウト画面を前記端末装置へ送信して、当該端末装置の前記表示部に表示させるように制御する画面表示制御手段と、を備え、前記昇降機モデリング手段は、前記昇降機のリビジョンアップに際し、当該リビジョンアップ前の前記ＢＩＭパーツと、当該リビジョンアップ後の前記ＢＩＭパーツとを作成し、前記画面生成手段は、前記昇降機モデリング手段により作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面を生成することを特徴とする。
【０１５３】
実施形態の方法は、制御部と記憶部と表示部を少なくとも備えたＢＩＭシステムにおいて実行される方法であって、前記記憶部は、昇降機のＢＩＭパーツを作成するためのパーツ情報を記憶するパーツ情報記憶手段、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記表示部に表示させる画面表示ステップと、を含み、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記昇降機モデリングステップにて作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【０１５４】
実施形態の方法は、制御部と記憶部とを少なくとも備えたサーバ装置、および、制御部と表示部とを少なくとも備えた端末装置、を通信可能に接続したＢＩＭシステムにおいて実行される方法であって、前記サーバ装置の前記記憶部は、昇降機のＢＩＭパーツを作成するためのパーツ情報を記憶するパーツ情報記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを少なくとも含むレイアウト画面を生成する画面生成ステップと、前記端末装置の前記制御部において実行される、前記画面生成ステップにて生成された前記レイアウト画面を前記表示部に表示させる画面表示ステップと、を含み、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記情報提供ステップにて送信された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【０１５５】
実施形態の方法は、表示部を少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツを少なくとも含むレイアウト画面が生成され、生成された前記レイアウト画面が前記表示部に表示され、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記レイアウト画面は、前記端末装置において生成される、前記リビジョンアップ前の前記ＢＩＭパーツと、前記リビジョンアップ後の前記ＢＩＭパーツと、を重ねて表示した画面であって、前記リビジョンアップ前の前記ＢＩＭパーツと前記リビジョンアップ後の前記ＢＩＭパーツとが重なり合わない変更領域を含む画面であることを特徴とする。
【０１５６】
実施形態の方法は、サーバ装置に通信可能に接続された、制御部と表示部とを少なくとも備えた端末装置において実行される方法であって、前記制御部において実行される、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを少なくとも含むレイアウト画面を生成する画面生成ステップと、前記画面生成ステップにて生成された前記レイアウト画面を前記表示部に表示させる画面表示ステップと、を含み、前記サーバ装置において、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記サーバ装置から受信した、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【０１５７】
実施形態の方法は、制御部と記憶部とを少なくとも備えたサーバ装置、および、表示部を少なくとも備えた端末装置、を通信可能に接続したＢＩＭシステムにおいて実行される方法であって、前記記憶部は、昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記端末装置へ送信して、当該端末装置の前記表示部に表示させるように制御する画面表示制御ステップと、を含み、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記昇降機モデリングステップにて作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【０１５８】
実施形態のプログラムは、制御部と記憶部と表示部を少なくとも備えたＢＩＭシステムに実行させるためのプログラムであって、前記記憶部は、昇降機のＢＩＭパーツを作成するためのパーツ情報を記憶するパーツ情報記憶手段、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成する画面生成ステップと、前記画面生成ステップにて生成された前記レイアウト画面を前記表示部に表示させる画面表示ステップと、を実行させ、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記昇降機モデリングステップにて作成された、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【０１５９】
実施形態のプログラムは、表示部を少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記情報提供ステップにて前記サーバ装置から送信された前記ＢＩＭパーツを少なくとも含むレイアウト画面が生成され、生成された前記レイアウト画面が前記表示部に表示され、前記昇降機モデリングステップにおいて、前記昇降機のリビジョンアップに際し、当該リビジョンアップ前の前記ＢＩＭパーツと、当該リビジョンアップ後の前記ＢＩＭパーツとが作成され、前記レイアウト画面は、前記端末装置において生成される、前記リビジョンアップ前の前記ＢＩＭパーツと、前記リビジョンアップ後の前記ＢＩＭパーツと、を重ねて表示した画面であって、前記リビジョンアップ前の前記ＢＩＭパーツと前記リビジョンアップ後の前記ＢＩＭパーツとが重なり合わない変更領域を含む画面であることを特徴とする。
【０１６０】
実施形態のプログラムは、サーバ装置に通信可能に接続された、制御部と表示部とを少なくとも備えた端末装置に実行させるためのプログラムであって、前記制御部において、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを少なくとも含むレイアウト画面を生成する画面生成ステップと、前記画面生成ステップにて生成された前記レイアウト画面を前記表示部に表示させる画面表示ステップと、を実行させ、前記サーバ装置において、前記昇降機のリビジョンアップに際し、当該リビジョンアップ前の前記ＢＩＭパーツと、当該リビジョンアップ後の前記ＢＩＭパーツとが作成され、前記画面生成ステップにおいて、前記サーバ装置から受信した、前記リビジョンアップ前の前記ＢＩＭパーツと、前記リビジョンアップ後の前記ＢＩＭパーツと、を重ねて表示した前記レイアウト画面であって、前記リビジョンアップ前の前記ＢＩＭパーツと前記リビジョンアップ後の前記ＢＩＭパーツとが重なり合わない変更領域を含む前記レイアウト画面が生成されることを特徴とする。
【符号の説明】
【０１６１】
１００  端末装置
１０２  制御部
１０２ａ  作成条件送信部
１０２ｂ  情報取得部
１０２ｃ  統合モデリング部
１０２ｄ  画面生成部
１０２ｅ  画面表示部
１０２ｆ  表示態様変更部
１０２ｇ  修正部
１０４  通信制御インターフェース部
１０６  記憶部
１０６ａ  ＢＩＭモデルデータベース
１０６ｂ  ＢＩＭパーツファイル
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  画面生成部
２０２ｆ  画面表示制御部
２０２ｇ  表示態様変更部
２０２ｈ  修正部
２０４  通信制御インターフェース部
２０６  記憶部
２０６ａ  パーツ情報データベース
２０６ｂ  ＢＩＭモデルデータベース
２０６ｃ  ＢＩＭパーツファイル
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  表示態様変更部
４０２ｇ  修正部
４０６  記憶部
４０６ａ  パーツ情報データベース
４０６ｂ  ＢＩＭモデルデータベース
４０６ｃ  ＢＩＭパーツファイル
４０８  入出力制御インターフェース部
４１４  表示部
４１６  音声出力部
４１８  入力部
【図１】
0005619126.tif 000002
【図２】
0005619126.tif 000003
【図３】
0005619126.tif 000004
【図４】
0005619126.tif 000005
【図５】
0005619126.tif 000006
【図６】
0005619126.tif 000007
【図７】
0005619126.tif 000008
【図８】
0005619126.tif 000009
【図９】
0005619126.tif 000010
【図１０】
0005619126.tif 000011
【図１１】
0005619126.tif 000012